(57)【要約】【課題】異なる光学系を適正に収容しながら光ピックアップ装置の小型化を実現することが可能な光ピックアップ装置を提供する。【解決手段】光学系を収容するハウジングには、ＢＤ光をＢＤ用対物レンズ１０７に向けて反射させる板状の立ち上げミラーＲ１と、ＣＤ光とＤＶＤ光をＣＤ／ＤＶＤ用対物レンズ２０３に向けて反射させる板状の立ち上げミラーＲ２が設置される。立ち上げミラーＲ１、Ｒ２によって反射されてディスクに向かうレーザ光の光軸は、それぞれ、光軸Ａ１２、Ａ２２である。このとき、立ち上げミラーＲ１は、立ち上げミラーＲ２に隣接する端縁（頂点Ｖ１７ａ、Ｖ１８ａ近傍）が、光軸Ａ２２から離れるように形成されている。これにより、立ち上げミラーＲ２によって反射されたＣＤ／ＤＶＤ光が立ち上げミラーＲ１の端縁に掛かりにくくなり、立ち上げミラーＲ１、Ｒ２の間隔を小さくすることができる。【選択図】図３
2015035234.tif 000002
【特許請求の範囲】
【請求項１】
第１のレーザ光を出射する第１のレーザ光源と、
第２のレーザ光を出射する第２のレーザ光源と、
前記第１のレーザ光を第１のディスクに収束させる第１の対物レンズと、
前記第２のレーザ光を第２のディスクに収束させ、且つ、前記第１の対物レンズよりも前記第２のディスクの内周側に配置された第２の対物レンズと、
第１の入射軸に沿って入射した前記第１のレーザ光を第１の出射軸に沿う方向へ反射させて前記第１の対物レンズに入射させる板状の第１の反射部材と、
前記第１の出射軸に垂直な平面の面内方向に前記第１の入射軸から傾く第２の入射軸に沿って入射した前記第２のレーザ光を第２の出射軸に沿う方向へ反射させて前記第２の対物レンズに入射させる板状の第２の反射部材と、を備え、
前記第１の反射部材は、前記第２の反射部材に隣接する端縁が前記第２の出射軸から離れる形状を有する、
ことを特徴とする光ピックアップ装置。
【請求項２】
請求項１に記載の光ピックアップ装置において、
前記第１の反射部材は、所定の厚みを有する直方体の前記第２の反射部材に隣接する側面が平面状にカットされた形状を有する、
ことを特徴とする光ピックアップ装置。
【請求項３】
請求項２に記載の光ピックアップ装置において、
前記第１の反射部材は、平行四辺形の輪郭を有する、
ことを特徴とする光ピックアップ装置。
【請求項４】
請求項２または３に記載の光ピックアップ装置において、
前記第１の反射部材は、光学系を収容するハウジングの設置面に載置される前記第１の反射部材の端縁が、前記第２の出射軸から離れるように回転した状態で、前記設置面に設置される、
ことを特徴とする光ピックアップ装置。
【請求項５】
請求項１ないし４の何れか一項に記載の光ピックアップ装置において、
光学系を収容するハウジングの設置面に載置される前記第１の反射部材の端縁の少なくとも一部が、前記第２の入射軸に沿って進む前記第２のレーザ光の光束部分と前記設置面との間の隙間に入り込むように、前記第１の反射部材が前記設置面に設置される、
ことを特徴とする光ピックアップ装置。
【請求項６】
請求項１ないし５の何れか一項に記載の光ピックアップ装置において、
光学系を収容するハウジングの、前記第１および第２のディスクの内周側の境界を形成する側壁に、当該側壁が肉薄となった凹部が形成され、
前記第２の反射部材は、前記凹部に収容されるように前記ハウジングに設置される、
ことを特徴とする光ピックアップ装置。
【請求項７】
請求項１ないし６の何れか一項に記載の光ピックアップ装置において、
前記第１のディスクは、ブルーレイディスクであり、
前記第２のディスクは、デジタルバータサイルディスクである、
ことを特徴とする光ピックアップ装置。
【請求項８】
第１のレーザ光を出射する第１のレーザ光源と、
第２のレーザ光を出射する第２のレーザ光源と、
前記第１のレーザ光を第１のディスクに収束させる第１の対物レンズと、
前記第２のレーザ光を第２のディスクに収束させ、且つ、前記第１の対物レンズよりも前記第２のディスクの内周側に配置された第２の対物レンズと、
第１の入射軸に沿って入射した前記第１のレーザ光を第１の出射軸に沿う方向へ反射させて前記第１の対物レンズに入射させる板状の第１の反射部材と、
前記第１の出射軸に垂直な平面の面内方向に前記第１の入射軸から傾く第２の入射軸に沿って入射した前記第２のレーザ光を第２の出射軸に沿う方向へ反射させて前記第２の対物レンズに入射させる板状の第２の反射部材と、を備え、
前記第１の反射部材は、光学系を収容するハウジングの設置面に載置される前記第１の反射部材の端縁が、前記第２の出射軸から離れるように回転した状態で、前記設置面に設置される、
ことを特徴とする光ピックアップ装置。
【発明の詳細な説明】
【技術分野】
【０００１】
本発明は、複数の対物レンズを用いた互換型の光ピックアップ装置に関する。
【背景技術】
【０００２】
従来、異なる種類の光ディスクに対応可能な光ピックアップ装置が知られている。たとえば、ＣＤ（Compact Disc）、ＤＶＤ（Digital Versatile Disc）およびＢＤ（Blu-ray Disc）に対応可能な互換型の光ピックアップ装置が開発されている。この種の光ピックアップ装置では、異なる開口数を実現するために、２つの対物レンズが配置され得る。この場合、光ピックアップ装置には、２つの光学系が装備される（たとえば、特許文献１）。２つの光学系は、それぞれ、レーザ光源と、立ち上げミラーと、対物レンズを有する。２つのレーザ光源から出射されたレーザ光は、それぞれ、対応する立ち上げミラーにより、対応する対物レンズへと導かれる。
【先行技術文献】
【特許文献】
【０００３】
【特許文献１】特開２００８−１２３６０５号公報
【発明の概要】
【発明が解決しようとする課題】
【０００４】
上記光ピックアップ装置では、２つの光学系をハウジングにコンパクトに収める必要がある。この場合、２つの対物レンズの距離を短縮して、２つの光学系を接近させるのが望ましい。
【０００５】
本発明は、かかる課題に鑑みてなされたものであり、異なる光学系を適正に収容しながら光ピックアップ装置の小型化を実現することが可能な光ピックアップ装置を提供することを目的とする。
【課題を解決するための手段】
【０００６】
本発明の第１の態様は、光ピックアップ装置に関する。この態様に係る光ピックアップ装置は、第１のレーザ光を出射する第１のレーザ光源と、第２のレーザ光を出射する第２のレーザ光源と、前記第１のレーザ光を第１のディスクに収束させる第１の対物レンズと、前記第２のレーザ光を第２のディスクに収束させ、且つ、前記第１の対物レンズよりも前記第２のディスクの内周側に配置された第２の対物レンズと、第１の入射軸に沿って入射した前記第１のレーザ光を第１の出射軸に沿う方向へ反射させて前記第１の対物レンズに入射させる板状の第１の反射部材と、前記第１の出射軸に垂直な平面の面内方向に前記第１の入射軸から傾く第２の入射軸に沿って入射した前記第２のレーザ光を第２の出射軸に沿う方向へ反射させて前記第２の対物レンズに入射させる板状の第２の反射部材と、を備える。ここで、前記第１の反射部材は、前記第２の反射部材に隣接する端縁が前記第２の出射軸から離れる形状を有する。
【０００７】
本態様に係る光ピックアップ装置によれば、第２の反射部材に隣接する第１の反射部材の端縁が第２の出射軸から離れるよう第１の反射部材が形成されているため、第２の出射軸に沿って反射された第２のレーザ光が、第１の反射部材によって遮られにくくなる。このため、第１の反射部材を第２の反射部材に接近させることができ、第１および第２の出射軸が互いに近づけられるよう光学系を設置することができる。これにより、光ピックアップ装置の小型化を実現することができる。
【０００８】
また、本態様に係る光ピックアップ装置において、前記第１の反射部材は、所定の厚みを有する直方体の前記第２の反射部材に隣接する側面が平面状にカットされた形状を有する構成とされ得る。
【０００９】
この場合、前記第１の反射部材は、平行四辺形の輪郭を有する構成とされるのが望ましい。こうすると、第１反射部材を、原板から無駄なく簡易に切り出すことにより取得することができ、第１反射部材のコストを抑えることができる。
【００１０】
また、前記第１の反射部材は、光学系を収容するハウジングの設置面に載置される前記第１の反射部材の端縁が、前記第２の出射軸から離れるように回転した状態で、前記設置面に設置される構成とされ得る。こうすると、第２の出射軸に沿って反射された第２のレーザ光が、第１の反射部材によって、さらに遮られにくくなる。これにより、第１および第２の出射軸がさらに近づけられるよう光学系を設置することができる。
【００１１】
また、本態様に係る光ピックアップ装置において、光学系を収容するハウジングの設置面に載置される前記第１の反射部材の端縁の少なくとも一部が、前記第２の入射軸に沿って進む前記第２のレーザ光の光束部分と前記設置面との間の隙間に入り込むように、前記第１の反射部材が前記設置面に設置される構成とされ得る。こうすると、第２の入射軸に沿って進む第２のレーザ光の光束部分を、第１の反射部材の端縁が遮ることなく、第１および第２の反射部材を設置することができる。これにより、第２のレーザ光が遮られないようにしながら、第１および第２の出射軸が近づけられるように光学系を設置することができる。
【００１２】
また、本態様に係る光ピックアップ装置において、光学系を収容するハウジングの、前記第１および第２のディスクの内周側の境界を形成する側壁に、当該側壁が肉薄となった凹部が形成され、前記第２の反射部材は、前記凹部に収容されるように前記ハウジングに設置される構成とされ得る。こうすると、第２の反射部材を設置するスペースが限られている場合でも、第２の反射部材を凹部に収容させることにより、第２の反射部材をハウジング内に設置することが可能となる。
【００１３】
また、本態様に係る光ピックアップ装置において、前記第１のディスクは、ブルーレイディスクであり、前記第２のディスクは、デジタルバータサイルディスクであるよう構成され得る。本態様に係る光ピックアップ装置によれば、上記のように第１反射部材と第２反射部材との間の距離を縮めることができるため、ブルーレイディスクの規格に従った位置に第１の対物レンズを配置しても、第１の対物レンズよりディスク内周側の限られた設置スペースに第２の反射部材を設置することができる。
【００１４】
本発明の第２の態様は、光ピックアップ装置に関する。この態様に係る光ピックアップ装置は、第１のレーザ光を出射する第１のレーザ光源と、第２のレーザ光を出射する第２のレーザ光源と、前記第１のレーザ光を第１のディスクに収束させる第１の対物レンズと、前記第２のレーザ光を第２のディスクに収束させ、且つ、前記第１の対物レンズよりも前記第２のディスクの内周側に配置された第２の対物レンズと、第１の入射軸に沿って入射した前記第１のレーザ光を第１の出射軸に沿う方向へ反射させて前記第１の対物レンズに入射させる板状の第１の反射部材と、前記第１の出射軸に垂直な平面の面内方向に前記第１の入射軸から傾く第２の入射軸に沿って入射した前記第２のレーザ光を第２の出射軸に沿う方向へ反射させて前記第２の対物レンズに入射させる板状の第２の反射部材と、を備える。ここで、前記第１の反射部材は、光学系を収容するハウジングの設置面に載置される前記第１の反射部材の端縁が、前記第２の出射軸から離れるように回転した状態で、前記設置面に設置される。
【００１５】
本態様に係る光ピックアップ装置によれば、第２の出射軸に沿って反射された第２のレーザ光が、第１の反射部材によって遮られにくくなる。このため、第１の反射部材を第２の反射部材に接近させることができ、第１および第２の出射軸が互いに近づけられるよう光学系を設置することができる。これにより、光ピックアップ装置の小型化を実現することができる。
【発明の効果】
【００１６】
以上のとおり、本発明によれば、異なる光学系を適正に収容しながら光ピックアップ装置の小型化を実現することが可能な光ピックアップ装置を提供することができる。
【００１７】
本発明の特徴は、以下に示す実施の形態により更に明らかとなろう。ただし、以下の実施の形態は、あくまでも本発明の一つの実施形態であって、本発明ないし各構成要件の用語の意義は、以下の実施の形態により何ら制限されるものではない。
【図面の簡単な説明】
【００１８】
【図１】実施の形態に係るターンテーブルの中心、ＢＤ用対物レンズおよびＣＤ／ＤＶＤ用対物レンズの位置関係について説明する図である。
【図２】実施例１に係る光ピックアップ装置を模式的に示す図である。
【図３】実施例１に係る光ピックアップ装置を模式的に示す図および立ち上げミラーの近傍を示す図である。
【図４】実施例１に係る立ち上げミラーの形状を説明する図およびハウジング内に設置された立ち上げミラーの側面図である。
【図５】比較例に係る立ち上げミラーが用いられた場合の、立ち上げミラーと光束との位置関係を示す図および立ち上げミラーとハウジングとの位置関係を示す図である。
【図６】実施例２に係る立ち上げミラーの回転状態を示す図および立ち上げミラーの近傍を示す図である。
【図７】実施例２に係るハウジング内に設置された立ち上げミラーの側面図である。
【図８】実施例２に係る光ピックアップ装置の具体的構成例を示す図である。
【図９】実施例２に係る立ち上げミラーが設置されるハウジングの部分を拡大した図である。
【図１０】変更例に係る立ち上げミラーの形状を示す図である。
【発明を実施するための形態】
【００１９】
本実施の形態は、ＣＤ（Compact Disc）、ＤＶＤ（Digital Versatile Disc）およびＢＤ（Blu-ray Disc）にレーザ光を照射する光ピックアップ装置に本発明を適用したものである。
【００２０】
まず、図１（ａ）、（ｂ）を参照して、光ピックアップ装置における、ターンテーブルの中心と、ＢＤ用対物レンズと、ＣＤ／ＤＶＤ用対物レンズの位置関係について説明する。
【００２１】
なお、ＢＤ用対物レンズとは、ＢＤに対応するＢＤ用光学系から導かれる波長４００ｎｍ程度のレーザ光（以下、「ＢＤ光」という）を、ＢＤの記録層に適正に収束させる対物レンズのことである。また、ＣＤ／ＤＶＤ用対物レンズとは、ＣＤとＤＶＤの両方に対応するＣＤ／ＤＶＤ用光学系から導かれる波長７８０ｎｍ程度のレーザ光（以下、「ＣＤ光」という）と、波長６５０ｎｍ程度のレーザ光（以下、「ＤＶＤ光」という）を、それぞれ、ＣＤとＤＶＤの記録層に適正に収束させる対物レンズのことである。
【００２２】
図１（ａ）の構成では、ターンテーブルの中心から外側方向に向かって、順に、ＢＤ用対物レンズとＣＤ／ＤＶＤ用対物レンズが配置されている。ターンテーブルの中心と、Ｂ
Ｄ用対物レンズと、ＣＤ／ＤＶＤ用対物レンズは、ディスクに垂直な方向から見た場合に同一直線上に並んでいる。
【００２３】
ここで、ＢＤ、ＤＶＤおよびＣＤは、トラックの最内周位置が規格によって定められている。このため、光ピックアップ装置が最もターンテーブルに近づく位置に位置付けられたときに、それぞれの対物レンズが、対応するディスクのトラック最内周位置またはそれよりも内側に位置付けられる必要がある。トラック最内周位置は、ＢＤ、ＤＶＤおよびＣＤのうち、ＢＤが最も内側である。したがって、光ピックアップ装置が最も内側方向に位置付けられた場合の、ターンテーブルの中心からＢＤ用対物レンズまでの距離は、ＢＤの中心からＢＤのトラック最内周位置までの距離（“所定値ｒ”）以下とする必要がある。
【００２４】
図１（ａ）では、ターンテーブルの中心からＢＤ用対物レンズまでの距離が所定値ｒよりも小さくなるようＢＤ用対物レンズが配置され、ＢＤ用対物レンズの位置に合わせてＢＤ用光学系が配置されている。そして、ＢＤ用対物レンズとＢＤ用光学系が占有するスペースの外側に、ＣＤ／ＤＶＤ用対物レンズおよびＣＤ／ＤＶＤ用光学系が配される。しかしながら、ＢＤ用光学系は、収差補正のための機構が必要となるため、占有スペースが大きくなり易い。このため、ＣＤ／ＤＶＤ用光学系よりも内側にＢＤ用光学系の配置スペースを確保することが難しく、ＣＤ／ＤＶＤ用光学系よりも内側にＢＤ用光学系の配置スペースを確保すると、図１（ａ）に示すように、ターンテーブルの中心からＣＤ／ＤＶＤ用対物レンズまでの距離が大きくなり、結果、光ピックアップ装置が大型になってしまう。
【００２５】
そこで、図１（ｂ）に示すように、ＢＤ用対物レンズをＣＤ／ＤＶＤ用対物レンズよりも外側に配するレイアウトが考えられる。こうすると、ターンテーブルの中心からＢＤ用対物レンズまでの距離を所定値ｒとしながら、占有するスペースが大きいＢＤ用光学系を、外側方向に配することができるため、光ピックアップ装置の小型化が可能となる。しかしながら、この場合には、ＢＤ用対物レンズの内側の限られたスペースに、ＣＤ／ＤＶＤ用光学系の配置スペースを確保する必要がある。
【００２６】
以下の実施例１、２では、ＢＤ用対物レンズがＣＤ／ＤＶＤ用対物レンズよりも外側に配された場合に、ＢＤ対物レンズをターンテーブルの中心から所定値ｒの距離内に配置すると共に、ＣＤ／ＤＶＤ用対物レンズをターンテーブルの中心とＢＤ用対物レンズとの間に配置することが可能な光ピックアップ装置が示されている。
【００２７】
＜実施例１＞
図２と図３（ａ）は、実施の形態に係る光ピックアップ装置を模式的に示す図である。図２は、光学系を裏側から見た場合の平面図であり、図３（ａ）は、対物レンズアクチュエータ３０２の周辺部分を側面側から見た場合の一部透視図である。光ピックアップ装置の光学系は、ＢＤ用の光学系とＣＤ／ＤＶＤ用の光学系に区分される。また、ＢＤ用光学系とＣＤ／ＤＶＤ用光学系は、ハウジングＨに収容されている。
【００２８】
ＢＤ用光学系は、半導体レーザ１０１と、回折格子１０２と、偏光ビームスプリッタ１０３と、１／４波長板１０４と、コリメータレンズ１０５と、レンズアクチュエータ１０６と、立ち上げミラーＲ１と、ＢＤ用対物レンズ１０７と、光検出器１０８から構成されている。
【００２９】
半導体レーザ１０１は、ＢＤ光をＹ軸正方向に出射する。回折格子１０２は、半導体レーザ１０１から出射されたＢＤ光をメインビームと２つのサブビームに分割する。偏光ビームスプリッタ１０３は、回折格子１０２側から入射されたレーザ光を反射する。偏光ビームスプリッタ１０３は、薄板状の平行平板となっており、その入射面に、偏光膜が形成されている。半導体レーザ１０１は、ＢＤ光の偏光方向が偏光ビームスプリッタ１０３に
対してＳ偏光となるように配置されている。
【００３０】
１／４波長板１０４は、偏光ビームスプリッタ１０３によって反射されたＢＤ光を円偏光に変換するとともに、ＢＤからの反射光を、ＢＤへ向かうときの偏光方向に直交する直線偏光に変換する。これにより、ＢＤによって反射されたＢＤ光は、偏光ビームスプリッタ１０３を透過して光検出器１０８へと導かれる。
【００３１】
コリメータレンズ１０５は、偏光ビームスプリッタ１０３によって反射されたレーザ光を平行光に変換する。レンズアクチュエータ１０６は、コリメータレンズ１０５を、コリメータレンズ１０５の光軸方向に駆動する。
【００３２】
レンズアクチュエータ１０６は、移動部材１０６ａと、シャフト１０６ｂと、ギア１０６ｃと、モータ１０６ｄを備える。移動部材１０６ａは、コリメータレンズ１０５を保持している。移動部材１０６ａは、コリメータレンズ１０５の光軸方向に移動可能にシャフト１０６ｂに支持されている。ギア１０６ｃは、モータ１０６ｄの駆動軸に連結され、移動部材１０６ａに形成されたギア（図示せず）と噛み合っている。モータ１０６ｄが駆動されることにより、移動部材１０６ａに保持されたコリメータレンズ１０５が光軸方向に移動する。こうして、コリメータレンズ１０５が制御信号に応じて移動されることにより、ＢＤ光に生じる収差が補正される。
【００３３】
立ち上げミラーＲ１は、コリメータレンズ１０５側から入射されたＢＤ光を、ＢＤ用対物レンズ１０７に向かう方向に反射する。なお、図２と図３（ａ）に示すように、立ち上げミラーＲ１には、ＢＤ光の反射領域が破線で示されており、反射領域の中心が黒丸で示されている。また、コリメータレンズ１０５側から立ち上げミラーＲ１に入射するＢＤ光の光軸Ａ１１は、Ｘ軸方向であり、一点鎖線で示されている。また、立ち上げミラーＲ１により反射されＢＤ用対物レンズ１０７に向かうＢＤ光の光軸Ａ１２は、Ｚ軸方向であり、一点鎖線で示されている。
【００３４】
ＢＤ用対物レンズ１０７は、ＢＤ光をＢＤの記録層上に適正に収束できるように設計されている。ＢＤ用対物レンズ１０７は、ＢＤ用対物レンズ１０７の光軸が、立ち上げミラーＲ１の反射領域の中心からＺ軸正方向に延びる直線上に位置付けられるよう設置される。また、ＢＤ用対物レンズ１０７は、ホルダ３０１に保持され、ホルダ３０１は、対物レンズアクチュエータ３０２によって、フォーカス方向およびトラッキング方向に駆動される。このようにホルダ３０１が駆動されることにより、ＢＤ用対物レンズ１０７が、フォーカス方向およびトラッキング方向に駆動される。
【００３５】
ＢＤからの反射光は、１／４波長板１０４により偏光ビームスプリッタ１０３に対してＰ偏光となる直線偏光に変換される。これにより、ＢＤからの反射光は、偏光ビームスプリッタ１０３を透過する。偏光ビームスプリッタ１０３は、ＢＤ光の光軸に対して４５度傾くように配置されている。このため、収束状態で偏光ビームスプリッタ１０３を透過するＢＤ光に、非点収差が導入される。
【００３６】
光検出器１０８には、ＢＤ光のメインビームと２つのサブビームが照射される位置に４分割センサが配置されている。光検出器１０８のセンサレイアウトは、各センサからの出力により、再生ＲＦ信号、フォーカスエラー信号、トラッキングエラー信号が生成されるよう設定されている。
【００３７】
ＣＤ／ＤＶＤ用光学系は、半導体レーザ２０１と、ハーフミラー２０２と、立ち上げミラーＲ２と、ＣＤ／ＤＶＤ用対物レンズ２０３と、光検出器２０４から構成されている。
【００３８】
半導体レーザ２０１は、１つのＣＡＮ内にＣＤ光とＤＶＤ光を出力するレーザ素子を備え、ＣＤ光とＤＶＤ光をＸ軸負方向に出射する。ＣＤ光とＤＶＤ光の光束は、一点鎖線で表示されている。ハーフミラー２０２は、半導体レーザ２０１側から入射されたレーザ光のうち半分を反射して、立ち上げミラーＲ２へと導くと共に、立ち上げミラーＲ２側から入射されたレーザ光のうち半分を透過して、光検出器２０４へと導く。
【００３９】
立ち上げミラーＲ２は、ハーフミラー２０２側から入射されたＣＤ光とＤＶＤ光を、ＣＤ／ＤＶＤ用対物レンズ２０３に向かう方向に反射する。なお、図２と図３（ａ）に示すように、立ち上げミラーＲ２には、ＣＤ光とＤＶＤ光の反射領域が破線で示されており、反射領域の中心が黒丸で示されている。また、ハーフミラー２０２側から立ち上げミラーＲ２に入射するＣＤ光とＤＶＤ光の光軸Ａ２１は、Ｙ軸方向であり、一点鎖線で示されている。また、立ち上げミラーＲ２により反射されＣＤ／ＤＶＤ用対物レンズ２０３に向かうＣＤ光とＤＶＤ光の光軸Ａ２２は、Ｚ軸方向であり、一点鎖線で示されている。
【００４０】
ＣＤ／ＤＶＤ用対物レンズ２０３は、ＣＤ光とＤＶＤ光をそれぞれ、ＣＤとＤＶＤの記録層上に適正に収束できるように設計されている。ＣＤ／ＤＶＤ用対物レンズ２０３は、ＣＤ／ＤＶＤ用対物レンズ２０３の光軸が、立ち上げミラーＲ２の反射領域の中心からＺ軸正方向に延びる直線上に位置付けられるよう設置される。また、ＣＤ／ＤＶＤ用対物レンズ２０３は、ＢＤ用対物レンズ１０７と同様、ホルダ３０１に保持され、ホルダ３０１が駆動されることにより、ＣＤ／ＤＶＤ用対物レンズ２０３が、フォーカス方向およびトラッキング方向に駆動される。
【００４１】
ＣＤ／ＤＶＤによって反射されたＣＤ光とＤＶＤ光は、立ち上げミラーＲ２により反射され、収束状態でハーフミラー２０２に入射する。ハーフミラー２０２は、ＣＤ光とＤＶＤ光の光軸に対して４５度傾くように配置されている。このため、収束状態でハーフミラー２０２を透過するＣＤ光とＤＶＤ光に、非点収差が導入される。光検出器２０４には、ＣＤ光とＤＶＤ光が照射される位置に４分割センサが配置されている。光検出器２０４のセンサレイアウトは、各センサからの出力により、再生ＲＦ信号、フォーカスエラー信号、トラッキングエラー信号が生成されるよう設定されている。
【００４２】
ハウジングＨの周辺部（斜線で示す部分）は、ハウジングＨの中央部よりも一段高く（Ｚ軸負方向側に高く）なっている。すなわち、ハウジングＨは、Ｚ軸負方向が開放され、周囲に壁を有する、いわゆる箱形状となっている。また、ハウジングＨの内部には、ハウジングＨの底面または側壁から延びた区画壁も含めて、光学系を構成する各部材の実装領域が形成される。ＢＤ用光学系とＣＤ／ＤＶＤ用光学系は、ハウジングＨの壁で囲まれた領域内に収容されている。ＢＤ用光学系とＣＤ／ＤＶＤ用光学系を構成する各部材は、ハウジングＨの壁で囲まれた領域内に設けられたそれぞれの設置領域に、底部が設置面に載せられるようにして、設置される。こうしてＢＤ用光学系とＣＤ／ＤＶＤ用光学系が設置されると、ターンテーブルの中心と、立ち上げミラーＲ１のＢＤ光の反射領域の中心（ＢＤ用対物レンズ１０７の光軸）と、立ち上げミラーＲ２のＣＤ光とＤＶＤ光の反射領域の中心（ＣＤ／ＤＶＤ用対物レンズ２０３の光軸の中心）が、Ｚ軸方向に見て同一直線上に位置付けられる。
【００４３】
ハウジングＨには、軸受けＨ１、Ｈ２が形成されている。軸受けＨ１、Ｈ２がシャフト（図示せず）に支持された状態で、ハウジングＨが内側方向と外側方向に移動される。これにより、ＢＤ用対物レンズ１０７と、ＣＤ／ＤＶＤ用対物レンズ２０３が、ディスクの径方向に移動される。
【００４４】
また、ハウジングＨは、ターンテーブル中心側の壁が円弧状に湾曲しており、この湾曲部に外壁部Ｈ３と内壁部Ｈ４が形成されている。ここで、外壁部Ｈ３は、ターンテーブル
の外周形状に合わせて形成される。すなわち、光ピックアップ装置がターンテーブルに最も接近した位置（最も内側方向の位置）に位置付けられると、外壁部Ｈ３が、所定の隙間をおいて、ターンテーブルの外周に対向する。また、立ち上げミラーＲ１とＢＤ用対物レンズ１０７は、光ピックアップ装置が最も内側方向に位置付けられた場合に、ＸＹ平面上におけるターンテーブルの中心からＢＤ用対物レンズ１０７までの距離が、図１（ｂ）と同様、所定値ｒとなるようハウジングＨに配置されている。このため、立ち上げミラーＲ２は、外壁部Ｈ３と立ち上げミラーＲ１との間の僅かな隙間に配置される必要がある。
【００４５】
そこで、本実施例では、立ち上げミラーＲ２を配置するために、内壁部Ｈ４に凹部Ｈ４ａが形成される。すなわち、円弧状に形成された壁の厚みが、立ち上げミラーＲ２の内側方向の端部の形状に合わせて薄くされ、これにより、内壁部Ｈ４に、内側方向に窪んだ凹部Ｈ４ａが形成される。この凹部Ｈ４ａの部分に、立ち上げミラーＲ２の内側方向の端部が位置付けられる。
【００４６】
さらに、本実施例では、立ち上げミラーＲ２を配置するために、立ち上げミラーＲ２の内側方向の端部が、以下に示すような形状とされる。
【００４７】
図４（ａ）、（ｂ）は、立ち上げミラーＲ１、Ｒ２の形状を説明する図である。
【００４８】
図４（ａ）を参照して、立ち上げミラーＲ１は、８つの頂点Ｖ１１〜Ｖ１８を有する板状の部材からなっている。平面視において、立ち上げミラーＲ１の輪郭は、平行四辺形である。すなわち、立ち上げミラーＲ１は、点線で示す直方体形状から、頂点Ｖ１３、Ｖ１４を通る平面によって頂点Ｖ１１、Ｖ１２を切り落とし、さらに、頂点Ｖ１５、Ｖ１６を通る平面によって頂点Ｖ１７、Ｖ１８を切り落とした形状を有する。
【００４９】
頂点Ｖ１１ａ、Ｖ１２ａ、Ｖ１３、Ｖ１４からなる平面と、頂点Ｖ１５、Ｖ１６、Ｖ１７ａ、Ｖ１８ａからなる平面は平行である。また、頂点Ｖ１１ａは、頂点Ｖ１１から頂点Ｖ１５に接近した位置にあり、頂点Ｖ１２ａは、頂点Ｖ１２から頂点Ｖ１６に接近した位置にあり、頂点Ｖ１７ａは、頂点Ｖ１７から頂点Ｖ１３に接近した位置にあり、頂点Ｖ１８ａは、頂点Ｖ１８から頂点Ｖ１４に接近した位置にある。
【００５０】
こうして、立ち上げミラーＲ１は、反射面（頂点Ｖ１２ａ、Ｖ１３、Ｖ１７ａ、Ｖ１６からなる面）とその反対側の面が平行四辺形となっている。平面視において、反射面の輪郭とその反対側の面の輪郭は、完全に一致する。また、反射面とその反対側の面は互いに平行である。立ち上げミラーＲ１は、反射面がＢＤ光の光束を十分受光できるよう、Ｙ軸を回転軸として、反射面がＺ軸正方向を向くように４５度傾けられ状態で、ハウジングＨ内に配置される。
【００５１】
図４（ｂ）を参照して、立ち上げミラーＲ２は、８つの頂点Ｖ２１〜Ｖ２８を有する板状の部材からなっている。平面視において、立ち上げミラーＲ２の輪郭は、平行四辺形である。すなわち、立ち上げミラーＲ２は、点線で示す直方体形状から、頂点Ｖ２１、Ｖ２２を通る平面によって頂点Ｖ２３、Ｖ２４を切り落とし、さらに、頂点Ｖ２７、Ｖ２８を通る平面によって頂点Ｖ２５、Ｖ２６が切り落とした形状を有する。
【００５２】
頂点Ｖ２１、Ｖ２２、Ｖ２３ａ、Ｖ２４ａからなる平面と、頂点Ｖ２５ａ、Ｖ２６ａ、Ｖ２７、Ｖ２８からなる平面は平行である。また、頂点Ｖ２３ａは、頂点Ｖ２３から頂点Ｖ２７に接近した位置にあり、頂点Ｖ２４ａは、頂点Ｖ２４から頂点Ｖ２８に接近した位置にあり、頂点Ｖ２５ａは、頂点Ｖ２５から頂点Ｖ２１に接近した位置にあり、頂点Ｖ２６ａは、頂点Ｖ２６から頂点Ｖ２２に接近した位置にある。
【００５３】
こうして、立ち上げミラーＲ２は、反射面（頂点Ｖ２２、Ｖ２３ａ、Ｖ２７、Ｖ２６ａからなる面）とその反対側の面が平行四辺形となっている。平面視において、反射面の輪郭とその反対側の面の輪郭は、完全に一致する。また、反射面とその反対側の面は互いに平行である。立ち上げミラーＲ２は、反射面がＣＤ光とＤＶＤ光の光束を十分受光できるよう、Ｘ軸を回転軸として、反射面がＺ軸正方向を向くように４５度傾けられた状態で、ハウジングＨ内に配置される。
【００５４】
図４（ｃ）は、ハウジングＨ内に設置された立ち上げミラーＲ１を、Ｘ軸正方向に見た場合の側面図である。なお、立ち上げミラーＲ２の頂点Ｖ２５ａ、Ｖ２６ａ、Ｖ２７、Ｖ２８のＸ軸正方向側に、それぞれ、頂点Ｖ２１、Ｖ２２、Ｖ２３ａ、Ｖ２４ａが位置付けられている。
【００５５】
立ち上げミラーＲ１は、上述したように、反射面がＺ軸正方向を向くように４５度傾けられている。このように傾けられた立ち上げミラーＲ１は、ハウジングＨに形成された設置面Ｈ１１に設置される。すなわち、立ち上げミラーＲ１の頂点Ｖ１３、Ｖ１４、Ｖ１８ａ、Ｖ１７ａからなる面は、設置面Ｈ１１によって支持される。
【００５６】
このように立ち上げミラーＲ１が設置されると、コリメータレンズ１０５側からＸ軸正方向に進むＢＤ光は、立ち上げミラーＲ１の反射面上において、太い破線で示す反射領域に照射され、Ｚ軸正方向に反射される。
【００５７】
なお、図４（ｃ）に示すように、Ｘ軸正方向に見たとき、立ち上げミラーＲ２の上部（Ｚ軸負側の端部）が立ち上げミラーＲ１の側部（Ｙ軸正側の端部）に重なっている。しかし、立ち上げミラーＲ１は、立ち上げミラーＲ２よりも手前（Ｘ軸負側）にあるため、このように立ち上げミラーＲ２の上部が立ち上げミラーＲ１の側部に重なっていても、立ち上げミラーＲ１の反射面によって反射されたＢＤ光の光束が立ち上げミラーＲ２によって遮られる惧れはない。
【００５８】
図４（ｄ）は、ハウジングＨ内に設置された立ち上げミラーＲ２を、Ｙ軸正方向に見た場合の側面図である。なお、立ち上げミラーＲ１の頂点Ｖ１１ａ、Ｖ１２ａ、Ｖ１３、Ｖ１４のＹ軸正方向側に、それぞれ、頂点Ｖ１５、Ｖ１６、Ｖ１７ａ、Ｖ１８ａが位置付けられている。
【００５９】
立ち上げミラーＲ２は、上述したように、反射面がＺ軸正方向を向くように４５度傾けられている。このように傾けられた立ち上げミラーＲ２は、ハウジングＨに形成された設置面Ｈ２１に設置される。すなわち、立ち上げミラーＲ２の頂点Ｖ２３ａ、Ｖ２４ａ、Ｖ２８、Ｖ２７からなる面は、設置面Ｈ２１によって支持される。
【００６０】
このように立ち上げミラーＲ２が設置されると、ハーフミラー２０２側からＹ軸正方向に進むＣＤ光とＤＶＤ光は、立ち上げミラーＲ２の反射面上において、太い破線で示す反射領域に照射され、Ｚ軸正方向に反射される。
【００６１】
このとき、Ｙ軸正方向に立ち上げミラーＲ２に入射するＣＤ光とＤＶＤ光の光束よりもＺ軸正方向側（図４（ｄ）の下方向）に、立ち上げミラーＲ１の頂点Ｖ１４、Ｖ１８ａが位置付けられている。したがって、立ち上げミラーＲ２に入射するＣＤ光とＤＶＤ光の光束が立ち上げミラーＲ１によって遮られることは無い。
【００６２】
なお、図４（ｃ）に示すように、Ｙ軸正方向に見たとき、立ち上げミラーＲ１の下部（Ｚ軸正側の端部）が立ち上げミラーＲ２の反射面の下部（Ｚ軸正側の端部）に重なっている。立ち上げミラーＲ１は、立ち上げミラーＲ２よりも手前（Ｙ軸負側）にあるため、こ
のように立ち上げミラーＲ１の下部が立ち上げミラーＲ２の反射面の下部に重なっていると、立ち上げミラーＲ２の反射面によって反射されたＣＤ光とＤＶＤ光が立ち上げミラーＲ１によって遮られる惧れがある。しかし、本実施の形態では、上記のように立ち上げミラーＲ１の輪郭が平行四辺形であるため、以下のように、立ち上げミラーＲ２の反射面によって反射されたＣＤ光とＤＶＤ光が立ち上げミラーＲ１によって遮られることは無い。
【００６３】
図５（ａ）は、立ち上げミラーＲ１の替わりに、立ち上げミラーＲ３が用いられた場合の、立ち上げミラーＲ３と、ＣＤ光とＤＶＤ光の光束との位置関係を示す図である。
【００６４】
ここで、立ち上げミラーＲ３は、直方形形状を有しており、平面視において正方形形状の輪郭を有している。また、Ｚ軸正方向に反射されるＣＤ光とＤＶＤ光の中心と、Ｚ軸正方向に反射されるＢＤ光の中心との間隔は、上記立ち上げミラーＲ１が用いられる場合の間隔ｄと同様である。
【００６５】
立ち上げミラーＲ３のＺ軸正方向側の端部は、図４（ｃ）に示した立ち上げミラーＲ１と同様、Ｙ軸正方向に進むＣＤ光とＤＶＤ光よりもＺ軸正方向側に位置している。このため、立ち上げミラーＲ１が用いられる場合と同様、Ｙ軸正方向に進むＣＤとＤＶＤ光が立ち上げミラーＲ３によって遮られることはない。しかしながら、立ち上げミラーＲ２によってＺ軸正方向に反射されるＣＤ光とＤＶＤ光は、図５（ａ）に示すように、立ち上げミラーＲ３の内側方向の端部に掛かっている。これにより、Ｚ軸正方向に反射されたＣＤ光とＤＶＤ光の一部が、立ち上げミラーＲ３により遮られてしまう。
【００６６】
これに対し、本実施例の立ち上げミラーＲ１が用いられる場合、立ち上げミラーＲ３の内側方向の端部に対応する部分、すなわち、図４（ａ）の頂点Ｖ１５、Ｖ１８、Ｖ１８ａ、Ｖ１６、Ｖ１７、Ｖ１７ａからなる三角柱部分が無いため、立ち上げミラーＲ２によってＺ軸正方向に反射されたＣＤ光とＤＶＤ光が、この三角柱部分によって遮られることがない。これにより、図３（ｂ）に示すように、Ｚ軸正方向に反射されるＢＤ光の中心位置と、Ｚ軸正方向に反射されるＣＤ光とＤＶＤ光の中心位置との間隔が幅ｄとなるよう、これら２つの中心位置を近づけても、Ｚ軸正方向に反射されるＣＤ光とＤＶＤ光が、立ち上げミラーＲ１の端部によって遮られることがない。
【００６７】
図５（ｂ）は、立ち上げミラーＲ２の替わりに、立ち上げミラーＲ４が用いられた場合の、立ち上げミラーＲ４と、外壁部Ｈ３と、内壁部Ｈ４との位置関係を示す図である。
【００６８】
ここで、立ち上げミラーＲ４は、直方形形状を有しており、平面視において、正方形形状の輪郭を有している。また、Ｚ軸正方向に反射されるＣＤ光とＤＶＤ光の中心と、外壁部Ｈ３との間隔は、上記立ち上げミラーＲ２が用いられる場合と同様である。
【００６９】
この場合、立ち上げミラーＲ４の内側方向の端部は、ターンテーブルの外周の形状に合わせて形成される外壁部Ｈ３よりも内側に突出している。このため、図２に示すように、内壁部Ｈ４に凹部Ｈ４ａを形成して、ハウジングＨの内部に立ち上げミラーＲ４を収めることができない。
【００７０】
しかしながら、本実施例の立ち上げミラーＲ２が用いられる場合、立ち上げミラーＲ３の内側方向の端部に対応する部分、すなわち、図４（ｂ）の頂点Ｖ２１、Ｖ２４、Ｖ２４ａ、Ｖ２２、Ｖ２３、Ｖ２３ａからなる三角柱部分が無いため、立ち上げミラーＲ２の内側方向の端部（頂点Ｖ２３ａ、Ｖ２４ａ）が、外壁部Ｈ３よりも内側に突出することがない。これにより、図２に示すように、内壁部Ｈ４に内側方向に窪んだ凹部Ｈ４ａを形成することにより、ハウジングＨの内部に立ち上げミラーＲ２を収めることができる。
【００７１】
＜実施例１の効果＞
以上、本実施例によれば、以下の効果が奏され得る。
【００７２】
図４（ａ）に示すように、立ち上げミラーＲ１が平行四辺形の形状を有するため、設置状態において、立ち上げミラーＲ１の内側方向の端部が、立ち上げミラーＲ２によってＺ軸正方向に反射されたＣＤ光とＤＶＤ光の光束の光軸Ａ２２から離れる。このため、図５（ａ）に示すような立ち上げミラーＲ３が用いられる場合に比べて、立ち上げミラーＲ１、Ｒ２を互いに接近させることができ、これにより、ＢＤ用光学系とＣＤ／ＤＶＤ用光学系とを互いに接近させることができる。よって、ＢＤ用光学系とＣＤ／ＤＶＤ用光学系とを合わせた光学系全体の配置スペースをコンパクトにすることができ、結果、光ピックアップ装置の小型化が可能となる。
【００７３】
また、このように立ち上げミラーＲ１、Ｒ２を互いに接近させることができるため、図１（ｂ）のように、ＢＤ用対物レンズ１０７が、ＣＤ／ＤＶＤ用対物レンズ２０３よりも外側方向に位置付けられる場合に、内側の立ち上げミラーＲ２を配置するためのスペースを広げることができる。これにより、図２に示すように、外壁部Ｈ３と立ち上げミラーＲ１との間に立ち上げミラーＲ２を配置するためのスペースを確保することが可能となる。
【００７４】
また、図４（ｂ）に示すように、立ち上げミラーＲ２が平行四辺形の形状を有するため、設置状態において、立ち上げミラーＲ２のターンテーブル側の端部を、外壁部Ｈ３よりもハウジングＨの内側に位置付けることができる。すなわち、図５（ｂ）に示すような立ち上げミラーＲ４が用いられる場合に比べて、立ち上げミラーＲ２のターンテーブル側の端部を、ターンテーブルから離れる方向にシフトさせることができる。このため、立ち上げミラーＲ２のこの端部を、ハウジングＨ内に収め易くなる。さらに、ハウジングＨの内壁部Ｈ４に凹部Ｈ４ａが形成されているため、ハウジングＨの内部に立ち上げミラーＲ２を収めることが可能となる。
【００７５】
また、立ち上げミラーＲ１、Ｒ２は、平行四辺形の輪郭を有するため、立ち上げミラーＲ１、Ｒ２を、原板から無駄なく簡易に切り出すことができる。これにより、立ち上げミラーＲ１、Ｒ２の生産コストを低く抑えることが可能となる。
【００７６】
＜実施例２＞
上記実施例１では、立ち上げミラーＲ１、Ｒ２が、図４（ａ）、（ｂ）に示すような形状とされ、反射面が４５度傾くようにして、ハウジングＨに配置された。本実施例では、さらに立ち上げミラーＲ１、Ｒ２が、上記実施例１の状態から、反射面に垂直な方向を中心軸として所定角度だけ回転された状態で、ハウジングＨに配置される。
【００７７】
本実施例では、図２に示す状態から、立ち上げミラーＲ１、Ｒ２が所定角度だけ回転されている。具体的には、立ち上げミラーＲ１は、図６（ａ）に示すように、反射面の中心を通り、反射面に垂直な直線を中心として所定の角度だけ回転される。この回転方向は、反射面と反対側の面から立ち上げミラーＲ１を見た場合に、反時計回りである。立ち上げミラーＲ２は、図６（ｂ）に示すように、反射面の中心を通り、反射面に垂直な直線を中心として所定角度だけ回転される。この回転方向は、反射面と反対側の面から立ち上げミラーＲ２を見た場合に、時計回りである。
【００７８】
図６（ｃ）は、本実施例の立ち上げミラーＲ１、Ｒ２の近傍を示す図である。図６（ｃ）には、上記実施例１の状態から、図６（ａ）、（ｂ）に示すように回転させられた立ち上げミラーＲ１、Ｒ２と共に、立ち上げミラーＲ２の内側方向のハウジングＨが示されている。
【００７９】
このように立ち上げミラーＲ１が回転されると、立ち上げミラーＲ１の頂角Ｖ１７ａ、Ｖ１８ａは、上記実施例１の場合に比べて、さらにＺ軸正方向に反射するＣＤ光とＤＶＤ光の光束から離れることになる。このため、上記実施例１の場合よりも、立ち上げミラーＲ２により反射されたＣＤ／ＤＶＤ光が、立ち上げミラーＲ１の端部（頂角Ｖ１７ａ、Ｖ１８ａの部分）により遮られにくくなる。これにより、上記実施例１に比べて、ＣＤ／ＤＶＤ用光学系を幅Δｄだけ外側方向に位置付けることができる。
【００８０】
また、上記のように立ち上げミラーＲ２が回転されると、立ち上げミラーＲ２の頂角Ｖ２３ａ、Ｖ２４ａは、上記実施例１の場合に比べて、さらに外壁部Ｈ３から離れることになる。これにより、上記実施例１に比べて、内壁部Ｈ４に凹部Ｈ４ａが形成された壁の部分の厚みを大きくすることができ、この部分の強度を高めることができる。
【００８１】
図７（ａ）は、ハウジングＨ内に設置された立ち上げミラーＲ１を、Ｘ軸正方向に見た場合の側面図である。
【００８２】
立ち上げミラーＲ１は、上述したように、反射面の中心を通り、反射面に垂直な直線を中心として所定角度だけ回転されている。このように回転された立ち上げミラーＲ１は、ハウジングＨに形成された設置面Ｈ１２に設置される。すなわち、立ち上げミラーＲ１の頂点Ｖ１３、Ｖ１４、Ｖ１８ａ、Ｖ１７ａからなる面は、設置面Ｈ１２によって支持される。
【００８３】
図７（ｂ）は、ハウジングＨ内に設置された立ち上げミラーＲ２を、Ｙ軸正方向に見た場合の側面図である。
【００８４】
立ち上げミラーＲ２は、上述したように、反射面の中心を通り、反射面に吸い超ｋな直線を中心として回転されている。このように回転された立ち上げミラーＲ２は、ハウジングＨに形成された設置面Ｈ２２に設置される。すなわち、立ち上げミラーＲ２の頂点Ｖ２３ａ、Ｖ２４ａ、Ｖ２８、Ｖ２７からなる面は、設置面Ｈ２２によって支持される。
【００８５】
この場合も、Ｙ軸正方向に立ち上げミラーＲ２に入射するＣＤ光とＤＶＤ光の光束よりもＺ軸正方向側（図７（ｄ）の下方向）に、立ち上げミラーＲ１の頂点Ｖ１８ａが位置付けられている。
【００８６】
図８は、本実施例における光ピックアップ装置の具体的構成例を示す図である。図８には、光ピックアップ装置を裏側から見たときの斜視図が示されている。図８に示す光ピックアップ装置は、図６（ｂ）に示すように立ち上げミラーＲ１、Ｒ２の近傍を除き、図２に示した構成と略同じであるため、説明を省略する。
【００８７】
なお、図８に示す具体的構成例では、回折格子１０２は、ホルダ１０２ａによってハウジングＨ内に固定されている。このようにハウジングＨ内に、図７に示す光学部品が設置された後、ハウジングＨにカバーが設置される。また、ＢＤ用対物レンズ１０７と、ＣＤ／ＤＶＤ用対物レンズ２０３と、ホルダ３０１と、対物レンズアクチュエータ３０２は、ハウジングＨの表側に装着される。
【００８８】
また、この具体的構成例では、コリメータレンズ１０５側から立ち上げミラーＲ１に入射するＢＤ光の進行方向は、図２に示すＸ軸正方向からＸＹ平面内において僅かにずれている。また、ハーフミラー２０２側から立ち上げミラーＲ２に入射するＣＤ光とＤＶＤ光の進行方向は、図２に示すＹ軸正方向からＸＹ平面内において僅かにずれている。
【００８９】
図９（ａ）、（ｂ）は、立ち上げミラーＲ１、Ｒ２が設置されるハウジングＨの部分を
拡大した図である。
【００９０】
本実施例の具体的構成例では、図７（ａ）に示した設置面Ｈ１２には、設置面Ｈ１２に平行で僅かに盛り上がった突起面Ｈ１２ａが形成されている。また、ハウジングＨには、立ち上げミラーＲ１の反射面を支持するための設置面Ｈ１３、Ｈ１４が設けられている。設置面Ｈ１３、Ｈ１４には、それぞれ、設置面Ｈ１３、Ｈ１４に平行で僅かに盛り上がった突起面Ｈ１３ａ、Ｈ１４ａが形成されている。立ち上げミラーＲ１の頂点Ｖ１３、Ｖ１４、Ｖ１８ａ、Ｖ１７ａからなる平面は、突起面Ｈ１２ａに支持されるようハウジングＨに固定され、頂点Ｖ１２ａ、Ｖ１３、Ｖ１７ａ、Ｖ１６からなる平面（反射面）は、突起面Ｈ１３ａ、Ｈ１４ａによって支持されるよう、立ち上げミラーＲ１がハウジングＨに固定される。
【００９１】
本実施例の具体的構成例では、図７（ｂ）に示した設置面Ｈ２２には、設置面Ｈ２２に平行で僅かに盛り上がった突起面Ｈ２２ａが形成されている。また、ハウジングＨには、立ち上げミラーＲ２の反射面を支持するための設置面Ｈ２３、Ｈ２４が設けられている。設置面Ｈ２３、Ｈ２４には、それぞれ、設置面Ｈ２３、Ｈ２４に平行で僅かに盛り上がった突起面Ｈ２３ａ、Ｈ２４ａが形成されている。立ち上げミラーＲ２の頂点Ｖ２３ａ、Ｖ２４ａ、Ｖ２８、Ｖ２７からなる平面は、突起面Ｈ２２ａに支持されるようハウジングＨに固定され、頂点Ｖ２２、Ｖ２３ａ、Ｖ２７、Ｖ２６ａからなる平面（反射面）は、突起面Ｈ２３ａ、Ｈ２４ａによって支持されるよう、立ち上げミラーＲ２がハウジングＨに固定される。
【００９２】
また、凹部Ｈ４ａの底面には、立ち上げミラーＲ２の頂点Ｖ２１、Ｖ２２、Ｖ２３ａ、Ｖ２４ａからなる平面に平行な壁面Ｈ４ｂが形成されている。壁面Ｈ４ｂに、頂点Ｖ２１、Ｖ２２、Ｖ２３ａ、Ｖ２４ａからなる平面が接するように、立ち上げミラーＲ２がハウジングＨに設置される。
【００９３】
なお、図９（ａ）、（ｂ）に示す具体的構成例では、設置面Ｈ１２〜Ｈ１４、Ｈ２２〜Ｈ２４に、突起面Ｈ１２ａ〜Ｈ１４ａ、Ｈ２２ａ〜Ｈ２４ａが形成されたが、これら突起面は形成されずに、設置面に立ち上げミラーＲ１、Ｒ２が支持されるよう、立ち上げミラーＲ１、Ｒ２がハウジングＨに固定されても良い。
【００９４】
＜実施例２の効果＞
以上、本実施例によれば、以下の効果が奏され得る。
【００９５】
立ち上げミラーＲ２の位置を、上記実施例１に比べて、幅Δｄだけさらに外側方向（ターンテーブルから離れる方向）に位置付けることができるため、外壁部Ｈ３と立ち上げミラーＲ１との間のスペースをさらに広げることができる。このため、上記実施例１よりも、立ち上げミラーＲ２を配置し易くなる。
【００９６】
また、立ち上げミラーＲ２の頂角Ｖ２３ａ、Ｖ２４ａを、上記実施例１に比べて、さらに外側方向（ターンテーブルから離れる方向）に位置付けることができるため、外壁部Ｈ３と頂角Ｖ２３ａ、Ｖ２４ａとの間隔を大きくできる。これにより、内壁部Ｈ４に凹部Ｈ４ａが形成された部分の壁の厚み（ターンテーブル側に最も入り込んだ部分の凹部Ｈ４ａの壁面と外壁部Ｈ３の壁面との距離）が、上記実施例１に比べて大きくなる。これにより、上記実施例１に比べて、凹部Ｈ４ａにおけるハウジングＨの強度を上げることができる。
【００９７】
なお、図８の具体的構成例では、コリメータレンズ１０５側から立ち上げミラーＲ１に入射するＢＤ光の進行方向は、図２に示す状態から僅かにずれおり、ハーフミラー２０２
側から立ち上げミラーＲ２に入射するＣＤ光とＤＶＤ光の進行方向は、図２に示す状態から僅かにずれている。しかしながら、この場合も、上述したような実施例１、２と同様の効果が奏され得る。
【００９８】
以上、本発明の実施の形態について説明したが、本発明は、上記実施の形態に何ら制限されるものではなく、また、本発明の実施の形態も上記以外に種々の変更が可能である。
【００９９】
たとえば、上記実施の形態では、図１（ｂ）に示すように、ＢＤ用対物レンズ１０７が、ＣＤ／ＤＶＤ用対物レンズ２０３よりも外側方向に位置付けられたが、これに限らず、図１（ａ）に示すように、ＢＤ用対物レンズ１０７が、ＣＤ／ＤＶＤ用対物レンズ２０３よりも内側方向に位置付けられても良い。この場合、上述したように、図１（ｂ）のように配置する場合に比べて光ピックアップ装置が大型になってしまう。
【０１００】
しかしながら、ＢＤ用光学系の立ち上げミラーとＣＤ／ＤＶＤ用光学系の立ち上げミラーを、上記実施例１、２と同様、一方の立ち上げミラーによって反射されたレーザ光を他方の立ち上げミラーが遮らないように、平行四辺形の輪郭に形成することにより、ＢＤ用光学系とＣＤ／ＤＶＤ用光学系とを互いに接近させることができ、ＢＤ用光学系とＣＤ／ＤＶＤ用光学系とを合わせた全体の光学系の配置スペースを縮小することができる。また、上記実施例２と同様、それぞれの立ち上げミラーを所定角度だけ回転させることにより、ＢＤ用光学系とＣＤ／ＤＶＤ用光学系とを合わせた全体の光学系の配置スペースをさらに縮小することができる。さらに、内壁部Ｈ４に凹部Ｈ４ａが形成されれば、光学系をターンテーブルに接近する方向にシフトさせることができる。よって、光ピックアップ装置をコンパクトにすることができる。
【０１０１】
また、上記実施の形態では、立ち上げミラーＲ１、Ｒ２は、平面視において平行四辺形の輪郭となるように形成されたが、これに限らず、頂点Ｖ１７、Ｖ１８の近傍が取り除かれれば、立ち上げミラーＲ１の輪郭は他の輪郭であっても良く、また、頂点Ｖ２３、Ｖ２４の近傍が取り除かれれば、立ち上げミラーＲ２は他の輪郭であっても良い。
【０１０２】
たとえば、立ち上げミラーＲ１は、図４（ａ）に点線で示す直方体の形状から、図１０（ａ）に示すように、頂点Ｖ１５、Ｖ１８、Ｖ１８ａ、Ｖ１６、Ｖ１７、Ｖ１７ａからなる三角柱部分のみが取り除かれ、頂点Ｖ１１ａ、Ｖ１２ａを含む部分は残っている形状であっても良い。同様に、立ち上げミラーＲ２は、図４（ｂ）に点線で示す直方体の形状から、図１０（ｂ）に示すように、頂点Ｖ２１、Ｖ２４、Ｖ２４ａ、Ｖ２２、Ｖ２３、Ｖ２３ａからなる三角柱部分のみが取り除かれ、頂点Ｖ２５ａ、Ｖ２６ａを含む部分は残っている輪郭であっても良い。
【０１０３】
また、図１０（ｃ）に示すように、平面視における立ち上げミラーＲ１の輪郭が台形となるよう、図４（ａ）に点線で示す直方体の形状から、頂点Ｖ１１、Ｖ１４、Ｖ１４ａ、Ｖ１２、Ｖ１３、Ｖ１３ａからなる三角柱部分が取り除かれた形状であっても良い。同様に、図１０（ｄ）に示すように、平面視における立ち上げミラーＲ２の輪郭が台形となるよう、図４（ｂ）に点線で示す直方体の形状から、頂点Ｖ２５、Ｖ２８、Ｖ２８ａ、Ｖ２６、Ｖ２７、Ｖ２７ａからなる三角柱部分が取り除かれても良い。
【０１０４】
また、図１０（ｅ）に示すように、立ち上げミラーＲ１は、図４（ａ）に点線で示す直方体の形状から、頂点Ｖ１８、Ｖ１８ａ、Ｖ１９ａ、Ｖ１７、Ｖ１７ａ、Ｖ１９ｂからなる三角柱が取り除かれた形状であっても良い。同様に、図１０（ｆ）に示すように、立ち上げミラーＲ２は、図４（ｂ）に点線で示す直方体の形状から、頂点Ｖ２３、Ｖ２３ａ、Ｖ２９ａ、Ｖ２４、Ｖ２４ａ、Ｖ２９ｂからなる三角柱が取り除かれた形状であっても良い。
【０１０５】
図１０（ａ）、（ｃ）、（ｅ）のように立ち上げミラーＲ１が構成される場合、図４（ａ）の立ち上げミラーＲ１に比べて、原板から立ち上げミラーＲ１を切り出す際の切出工程が多くなるものの、上記実施の形態と同様、頂点Ｖ１７、Ｖ１８の近傍の三角柱部分が取り除かれるため、この部分が、Ｚ軸正方向に反射されたＣＤ光とＤＶＤ光に掛からなくなる。また、図１０（ｂ）、（ｄ）、（ｆ）のように立ち上げミラーＲ２が構成される場合、図４（ｂ）の立ち上げミラーＲ２に比べて、原板から立ち上げミラーＲ２を切り出す際の切出工程が多くなるものの、上記実施の形態と同様、頂点Ｖ２３、Ｖ２４の近傍の三角柱部分が取り除かれるため、この部分が、外壁部Ｈ３よりも外側（ハウジングＨの内部側）に位置付けられる。
【０１０６】
また、上記実施の形態では、立ち上げミラーＲ１、Ｒ２の対向する側面は、互いに平行であったが、これに限らず、平行でなくても良い。また、平面視における立ち上げミラーＲ１の形状は、図４（ａ）に示す状態から左右反転した形状であっても良い。すなわち、頂点Ｖ１１ａは、頂点Ｖ１１から頂点Ｖ１４に接近した位置にあり、頂点Ｖ１２ａは、頂点Ｖ１２から頂点Ｖ１３に接近した位置にあり、頂点Ｖ１７ａは、頂点Ｖ１７から頂点Ｖ１６に接近した位置にあり、頂点Ｖ１８ａは、頂点Ｖ１８から頂点Ｖ１５に接近した位置にあっても良い。また、平面視における立ち上げミラーＲ２の形状は、図４（ｂ）に示す状態から左右反転した形状であっても良い。すなわち、頂点Ｖ２３ａは、頂点Ｖ２３から頂点Ｖ２２に接近した位置にあり、頂点Ｖ２４ａは、頂点Ｖ２４から頂点Ｖ２１に接近した位置にあり、頂点Ｖ２５ａは、頂点Ｖ２５から頂点Ｖ２８に接近した位置にあり、頂点Ｖ２６ａは、頂点Ｖ２６から頂点Ｖ２７に接近した位置にあっても良い。
【０１０７】
さらに、上記実施の形態では、ＢＤ、ＤＶＤ、ＣＤに対応可能な光ピックアップ装置が例示されたが、本発明は、これに限らず、２つの対物レンズと、各対物レンズにそれぞれ対応する２つの立ち上げミラーを有する光ピックアップ装置に適用可能である。たとえば、本発明は、ＢＤ、ＤＶＤ、ＣＤのうち２つに対応可能な光ピックアップ装置にも適用可能である。
【０１０８】
また、上記実施の形態では、光軸Ａ２１が光軸Ａ１１に対してＸＹ平面の面内方向において略９０傾いていたが、光軸Ａ１１に対する光軸Ａ２１の傾き角は、これに限らず、光学系のレイアウトに応じて、種々の変更が可能である。また、各光学系を構成する部品も、上記に限られず、一部の部材を省略し、あるいは、一部の部材を追加しても良い。
【０１０９】
なお、上記実施例１では、立ち上げミラーＲ１の内周側が図４（ａ）に示すように光軸Ａ２２から離れる方向にカットされた。さらに、上記実施例２では、立ち上げミラーＲ１が、図６（ａ）に示すように回転された。しかしながら、立ち上げミラーＲ１をカットする方法と、立ち上げミラーＲ１を回転させる方法は、立ち上げミラーＲ１を光軸Ａ２２から離すための方法として、単独または組み合わせて用いられ得るものである。
【０１１０】
この他、本発明の実施の形態は、特許請求の範囲に示された技術的思想の範囲内において、適宜、種々の変更が可能である。
【符号の説明】
【０１１１】
１０１  …  半導体レーザ（第１のレーザ光源）
１０７  …  ＢＤ用対物レンズ（第１の対物レンズ）
２０１  …  半導体レーザ（第２のレーザ光源）
２０３  …  ＣＤ／ＤＶＤ用対物レンズ（第２の対物レンズ）
Ａ１１  …  光軸（第１の入射軸）
Ａ１２  …  光軸（第１の出射軸）
Ａ２１  …  光軸（第２の入射軸）
Ａ２２  …  光軸（第２の出射軸）
Ｈ  …  ハウジング
Ｈ１１、Ｈ１２、Ｈ２１、Ｈ２２  …  設置面
Ｈ４  …  内壁部（側壁）
Ｈ４ａ  …  凹部
Ｒ１  …  立ち上げミラー（第１の反射部材）
Ｒ２  …  立ち上げミラー（第２の反射部材）
【図１】
2015035234.tif 000003
【図２】
2015035234.tif 000004
【図３】
2015035234.tif 000005
【図４】
2015035234.tif 000006
【図５】
2015035234.tif 000007
【図６】
2015035234.tif 000008
【図７】
2015035234.tif 000009
【図８】
2015035234.tif 000010
【図９】
2015035234.tif 000011
【図１０】
2015035234.tif 000012